(57)【特許請求の範囲】
【請求項１】
販売サーバ、ユーザ端末および店舗端末がネットワークを介して接続されたチケットの二次販売システムであって、
前記ユーザ端末が、出品側のユーザ端末として機能する場合、出品者の操作に応答して前記チケットの出品要求を前記販売サーバに送信し、購入側のユーザ端末として機能する場合、購入者の操作に応答して前記チケットの購入要求を前記販売サーバに送信するものであり、
前記店舗端末が、前記出品要求に係る前記チケットの識別情報を読み取る識別情報読み取り部と、
前記識別情報読み取り部で読み取った前記識別情報を前記販売サーバに送信する識別情報送信部と、
前記購入要求に係る前記チケットの情報送信要求を前記販売サーバに送信する情報送信要求送信部と、
前記情報送信要求に応答して前記販売サーバが送信したチケット情報を受信するチケット情報受信部と、
受信した前記チケット情報に基づいて前記チケットを発券するチケット発券部と、を有し、
前記販売サーバが、
前記出品要求、前記識別情報、前記購入要求および前記情報送信要求を受信するデータ受信部と、
前記出品要求の受信を契機として前記チケットの出品を仮登録し、前記識別情報の受信を契機として前記識別情報に対応する前記仮登録を本登録に変更し、前記購入要求の受信を契機として取引に係る前記チケットの購入を登録する出品・購入登録部と、
前記情報送信要求の受信を契機として取引に係る前記チケットのチケット情報を送信するデータ送信部と、を有する
チケットの二次販売システム。
【請求項２】
ユーザ端末および店舗端末にネットワークを介して接続されたチケットの二次販売のための販売サーバであって、
出品側の前記ユーザ端末からの前記チケットの出品要求、出品側の前記店舗端末からの前記出品要求に係る前記チケットの識別情報、購入側の前記ユーザ端末からの前記チケットの購入要求、および、購入側の前記店舗端末からの前記購入要求に係る前記チケットの情報送信要求、を受信するデータ受信部と、
前記出品要求の受信を契機として前記チケットの出品を仮登録し、前記識別情報の受信を契機として前記識別情報に対応する前記仮登録を本登録に変更し、前記購入要求の受信を契機として取引に係る前記チケットの購入を登録する出品・購入登録部と、
前記情報送信要求の受信を契機として取引に係る前記チケットのチケット情報を送信するデータ送信部と、
を有する販売サーバ。
【請求項３】
チケットの二次販売のための販売サーバにネットワークを介して接続された店舗端末であって、
出品側のユーザ端末から前記販売サーバに送信された出品要求に係る前記チケットの識別情報を読み取る識別情報読み取り部と、
前記識別情報読み取り部で読み取った前記識別情報を前記販売サーバに送信する識別情報送信部と、
購入側のユーザ端末から前記販売サーバに送信された購入要求に係る前記チケットの情報送信要求を前記販売サーバに送信する情報送信要求送信部と、
前記情報送信要求に応答して前記販売サーバが送信したチケット情報を受信するチケット情報受信部と、
受信した前記チケット情報に基づいて前記チケットを発券するチケット発券部と、を有し、
前記識別情報が、前記販売サーバにおいて、前記出品要求により予め登録された前記チケットの出品の仮登録を、当該識別情報の受信を契機として本登録に変更するものである
店舗端末。
【請求項４】
前記識別情報が、前記チケットの券面に印刷された一次元または二次元のバーコード情報であり、
前記識別情報読み取り部がバーコードリーダを含む
請求項３に記載の店舗端末。
【請求項５】
前記購入要求に応答して前記販売サーバから前記購入側のユーザ端末に送信された取引識別情報を入力する取引識別情報入力部をさらに有し、
前記情報送信要求送信部が、前記取引識別情報を含めて前記情報送信要求を送信する
請求項３または請求項４に記載の店舗端末。
【請求項６】
前記取引識別情報が、印刷された一次元または二次元のバーコード情報であり、
前記取引識別情報入力部がバーコードリーダを含む
請求項５に記載の店舗端末。
【請求項７】
チケットの二次販売のための販売サーバにネットワークを介して接続された店舗システムであって、
前記店舗システムが、店舗端末および店舗内ユーザ端末を含み、
前記店舗内ユーザ端末が、
購入者の操作に応答して前記チケットの購入要求を前記販売サーバに送信する購入要求送信部と、
前記購入要求に応答して前記販売サーバから送信された取引識別情報を受信する取引識別情報受信部と、
受信した前記取引識別情報を出力する取引識別情報出力部と、を有し、
前記店舗端末が、
出品側のユーザ端末から前記販売サーバに送信された出品要求に係る前記チケットの識別情報を読み取る識別情報読み取り部と、
前記識別情報読み取り部で読み取った前記識別情報を前記販売サーバに送信する識別情報送信部と、
前記店舗内ユーザ端末が受信した前記取引識別情報を入力する取引識別情報入力部と、
入力された前記取引識別情報に係る前記チケットの情報送信要求を前記販売サーバに送信する情報送信要求送信部と、
前記情報送信要求に応答して前記販売サーバが送信したチケット情報を受信するチケット情報受信部と、
受信した前記チケット情報に基づいて前記チケットを発券するチケット発券部と、を有し、
前記識別情報が、前記販売サーバにおいて、前記出品要求により予め登録された前記チケットの出品の仮登録を、当該識別情報の受信を契機として本登録に変更するものである
店舗システム。
【請求項８】
前記識別情報が前記チケットの券面に印刷された一次元または二次元のバーコード情報であり、
前記識別情報読み取り部が、バーコードリーダを含む
請求項７に記載の店舗システム。
【請求項９】
前記取引識別情報出力部がプリンタを含み、
前記取引識別情報入力部がバーコードリーダを含み、
前記取引識別情報が前記プリンタにより印刷された一次元または二次元のバーコード情報である
請求項７または請求項８に記載の店舗システム。
【請求項１０】
販売サーバと、ユーザ端末および店舗端末とがネットワークを介して接続されたシステムを用いたチケットの二次販売方法であって、
出品側の前記ユーザ端末が、出品者の操作に応答して、前記チケットの出品を要求する出品要求を前記販売サーバに送信するステップと、
前記販売サーバが、前記出品要求の受信を契機として、前記チケットの出品を仮登録するステップと、
出品側の前記店舗端末が、前記出品要求に係る前記チケットの識別情報を読み取り、読み取った前記識別情報を前記販売サーバに送信するステップと、
前記販売サーバが、前記識別情報の受信を契機として、前記識別情報に対応する前記仮登録を本登録に変更するステップと、
購入側の前記ユーザ端末が、購入者の操作に応答して、前記チケットの購入を要求する購入要求を前記販売サーバに送信するステップと、
前記販売サーバが、前記購入要求の受信を契機として、取引に係る前記チケットの購入を登録するステップと、
購入側の前記店舗端末が、前記購入要求に係る前記チケットの情報送信要求を前記販売サーバに送信するステップと、
前記販売サーバが、前記情報送信要求の受信を契機として、取引に係る前記チケットのチケット情報を送信するステップと、
購入側の前記店舗端末が、前記販売サーバから前記チケット情報を受信し、受信した前記チケット情報に基づいて前記チケットを発券するステップと、
を有するチケットの二次販売方法。
【発明の詳細な説明】
【技術分野】
【０００１】
本発明は、チケットの二次販売システム、店舗端末、ユーザ端末およびチケットの二次販売方法に関する。
【背景技術】
【０００２】
たとえば、特許文献１には、会員間で再販仲介される座席権利に関する各種情報をデータベース化し、各情報を最新状態に保ち共有することで、該権利の売買の利便を図り、併せて会場運営の効率を向上させるチケット再販システムおよびその方法が開示されている。当該チケット再販システムでは、再販仲介に関する情報の受け付け等をする受付端末ＡＭ、全情報を管理する管理端末ＣＭおよびデータベースサーバＤＢＳの間で特定回線Ｌを介して相互に各種情報を交換するコンピュータネットワークと、該端末ＣＭの各管理システムＣＭ２〜６と、該端末ＡＭの各情報入出力システムＡＭ５およびＡＭ６と、該サーバＤＢＳに設けられる各管理データベースＤＢ２〜６とから構成される各機構２０、３０、４０、５０および６０の間で、各情報ＭＤ、ＰＤ、ＴＤ、ＰＢＤおよびＳＤを活用することで、会員Ｍの座席権利の売買に関する利便を図り、併せて会場の運営を効率的に向上させ得るよう構成されている。
【０００３】
また、特許文献２には、契約者が使用しないときの契約シートを有効活用することを目的に、シート二次販売システムが開示されている。当該シート二次販売システムは、端末１０、３０、４０からの要求に応じて、契約シートが販売対象である旨が設定されている契約シート情報をデータベース５０から読み出して要求元の端末１０、３０、４０に送信する。そして、シート購入要求を端末１０、３０、４０から受信すると、それに基づいて、購入者が契約シートの使用料金を契約シート販売元に支払うための決済処理を行い、契約シートの座席券を購入者が得るための情報を端末１０、３０、４０に送信し、シート購入要求が示す契約シート情報に、契約シートが販売済みである旨をデータベース５０において設定する。また、シート管理システム６０は、データベース５０において、シート購入要求が示す契約シート情報に関連付けられている契約者情報を特定し、ポイント値にポイントを加算する、とされている。
【先行技術文献】
【特許文献】
【０００４】
【特許文献１】特開２００３−３０８４４６号公報
【特許文献２】特開２００６−５９０６０号公報
【発明の概要】
【発明が解決しようとする課題】
【０００５】
背景技術において説明した通り、各種のチケット二次販売システムが提案されている。しかし、これら従来におけるチケット二次販売システムは、購入されたチケットが無駄にならないよう再販するシステムを提供する目的に止まり、システムを利用してチケットを売買しようとするユーザの利便性が考慮されていると言えるものではなかった。
【０００６】
すなわち、一般的にチケットは紙媒体に印刷されたものであり、再販システムを利用してチケットを販売した売主は、チケットを買主に送付しなければならず、買主は売買の成立後、チケットの到着を待たなければならない。チケットの対象であるコンサート等興行の開催期日まで時間が短い場合、購入を躊躇したり、チケットの到着が期日に間に合わなかったりする場合が生じ、売主、買主の両者にとって、利便性が高いものとは言えなかった。
【０００７】
本発明の目的は、売主がチケットを送付する手間を省き、買主が売主からのチケットの送付を待つ必要がなく、興行期日までの期間が短いチケットであっても安心して取引できるチケットの二次販売システムおよびその方法と当該システムで利用される端末等に関する技術を提供することにある。
【課題を解決するための手段】
【０００８】
上記課題を解決するために、本発明の第１の態様においては、販売サーバと、ユーザ端末および店舗端末とがネットワークを介して接続されたチケットの二次販売システムであって、出品側の前記ユーザ端末が、出品者の操作に応答して、前記チケットの出品を要求する出品要求を前記販売サーバに送信し、購入側の前記ユーザ端末が、購入者の操作に応答して、前記チケットの購入を要求する購入要求を前記販売サーバに送信し、出品側の前記店舗端末が、前記出品要求に係る前記チケットの識別情報を読み取り、読み取った前記識別情報を前記販売サーバに送信し、購入側の前記店舗端末が、前記購入要求に係る前記チケットの情報送信要求を前記販売サーバに送信し、前記情報送信要求に応答して前記販売サーバが送信したチケット情報を受信し、受信した前記チケット情報に基づいて前記チケットを発券し、前記販売サーバが、前記出品要求の受信を契機として、前記チケットの出品を仮登録し、前記識別情報の受信を契機として、前記識別情報に対応する前記仮登録を本登録に変更し、前記購入要求の受信を契機として、取引に係る前記チケットの購入を登録し、前記情報送信要求の受信を契機として、取引に係る前記チケットのチケット情報を送信するチケットの二次販売システムを提供する。
【０００９】
本発明の第２の態様においては、チケットの二次販売のための販売サーバにネットワークを介して接続された店舗端末であって、ユーザ端末から前記販売サーバに送信された前記チケットの出品を要求する出品要求に係る前記チケットの識別情報を読み取る識別情報読み取り部と、前記識別情報読み取り部で読み取った前記識別情報を前記販売サーバに送信する識別情報送信部と、を有する店舗端末を提供する。前記識別情報が、前記チケットの券面に印刷された一次元または二次元のバーコード情報であり、前記識別情報読み取り部が、バーコードリーダを含んでもよい。
【００１０】
本発明の第３の態様においては、チケットの二次販売のための販売サーバにネットワークを介して接続された店舗端末であって、ユーザ端末から前記販売サーバに送信された前記チケットの購入を要求する購入要求に係る前記チケットの情報送信要求を前記販売サーバに送信する情報送信要求送信部と、前記情報送信要求に応答して前記販売サーバが送信したチケット情報を受信するチケット情報受信部と、受信した前記チケット情報に基づいて前記チケットを発券するチケット発券部と、を有する店舗端末を提供する。前記購入要求に応答して前記販売サーバから前記ユーザ端末に送信された取引識別情報を入力する取引識別情報入力部をさらに有し、前記情報送信要求送信部が、前記取引識別情報を含めて前記情報送信要求を送信してもよい。前記取引識別情報が、印刷された一次元または二次元のバーコード情報であり、前記取引識別情報入力部が、バーコードリーダを含んでもよい。
【００１１】
本発明の第４の態様においては、チケットの二次販売のための販売サーバにネットワークを介して接続されたユーザ端末であって、購入者の操作に応答して、前記チケットの購入を要求する購入要求を前記販売サーバに送信する購入要求送信部と、前記購入要求に応答して前記販売サーバから送信された取引識別情報を受信する取引識別情報受信部と、受信した前記取引識別情報を出力する取引識別情報出力部と、を有するユーザ端末を提供する。前記取引識別情報出力部がプリンタを含み、前記取引識別情報が、前記プリンタで印刷された一次元または二次元のバーコードであってもよい。
【００１２】
本発明の第５の態様においては、チケットの二次販売のために、出品要求の受信を契機として前記チケットの出品を仮登録し、識別情報の受信を契機として前記識別情報に対応する前記仮登録を本登録に変更し、購入要求の受信を契機として取引に係る前記チケットの購入を登録し、完了要求の受信を契機として前記出品の仮登録、前記仮登録の本登録への変更または前記購入の登録を削除し、前記登録、前記変更または前記削除の何れかのイベントが発生した場合に、前記チケットのステータスを各イベントの内容に応じたステータスに変更する販売サーバにネットワークを介して接続されたユーザ端末であって、前記チケットの識別情報を入力する識別情報入力部と、前記識別情報を前記販売サーバに送信して前記チケットの前記ステータスを照会するステータス照会部と、を有するユーザ端末を提供する。前記識別情報が、前記チケットの券面に印刷された一次元または二次元のバーコード情報であり、識別情報入力部が、バーコードリーダを含んでもよい。
【００１３】
本発明の第６の態様においては、販売サーバと、ユーザ端末および店舗端末とがネットワークを介して接続されたシステムを用いたチケットの二次販売方法であって、出品側の前記ユーザ端末が、出品者の操作に応答して、前記チケットの出品を要求する出品要求を前記販売サーバに送信するステップと、前記販売サーバが、前記出品要求の受信を契機として、前記チケットの出品を仮登録するステップと、出品側の前記店舗端末が、前記出品要求に係る前記チケットの識別情報を読み取り、読み取った前記識別情報を前記販売サーバに送信するステップと、前記販売サーバが、前記識別情報の受信を契機として、前記識別情報に対応する前記仮登録を本登録に変更するステップと、購入側の前記ユーザ端末が、購入者の操作に応答して、前記チケットの購入を要求する購入要求を前記販売サーバに送信するステップと、前記販売サーバが、前記購入要求の受信を契機として、取引に係る前記チケットの購入を登録するステップと、購入側の前記店舗端末が、前記購入要求に係る前記チケットの情報送信要求を前記販売サーバに送信するステップと、前記販売サーバが、前記情報送信要求の受信を契機として、取引に係る前記チケットのチケット情報を送信するステップと、購入側の前記店舗端末が、前記販売サーバから前記チケット情報を受信し、受信した前記チケット情報に基づいて前記チケットを発券するステップと、を有するチケットの二次販売方法を提供する。
【００１４】
なお、上記の発明の概要は、本発明の必要な特徴の全てを列挙したものではない。また、これらの特徴群のサブコンビネーションもまた、発明となりうる。
【図面の簡単な説明】
【００１５】
【図１】本実施形態の二次販売システム１００の全体を示す概念図である。
【図２】販売サーバ１１０の概要を示すブロック図である。
【図３】ユーザ端末１３０の概要を示すブロック図である。
【図４】店舗端末１７０の概要を示すブロック図である。
【図５】二次販売システム１００の動作を示すフロー図である。
【発明を実施するための形態】
【００１６】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【００１７】
図１は、本実施形態の二次販売システム１００の全体を示す概念図である。二次販売システム１００は、販売サーバ１１０、ユーザ端末１３０、ゲートサーバ１４０、インターネット１５０、店舗サーバ１６０、店舗端末１７０、店舗内ユーザ端末１８０および店舗ネットワーク１９０を有する。
【００１８】
販売サーバ１１０、ユーザ端末１３０およびゲートサーバ１４０は、インターネット１５０を介して相互に接続される。ここで、ネットワークの一例としてインターネット１５０を例示するが、専用回線等を通じたプライベートネットワークで接続されても良い。
【００１９】
ゲートサーバ１４０および店舗サーバ１６０は、店舗ネットワーク１９０を介して相互に接続される。店舗端末１７０および店舗内ユーザ端末１８０は店舗サーバ１６０を介して店舗ネットワーク１９０に接続され、さらにゲートサーバ１４０を介してインターネット１５０に接続される。店舗内ユーザ端末１８０は、インターネット１５０に直接接続されるものであっても良い。
【００２０】
店舗ネットワーク１９０は、インターネット等公衆ネットワークから独立したプライベートネットワークであり、たとえばコンビニエンスストアの店舗網として既に構築されている既存のネットワークである。店舗ネットワーク１９０として既存のネットワークを用いることで、二次販売システム１００のセキュリティを高め、また、構築コストを抑制することができる。
【００２１】
図２は、販売サーバ１１０の概要を示すブロック図である。販売サーバ１１０は、制御部１１１、チケットデータベース１１２、出品・購入登録部１１３、ステータス変更制御部１１４、データ送信部１１６、データ受信部１１７を有する。制御部１１１は、後に説明する販売サーバ１１０の機能を実現するよう、販売サーバ１１０を制御する。出品・購入登録部１１３は、チケットの出品登録、出品されたチケットの購入登録を行う。ステータス変更制御部１１４は、チケットのステータス変更を制御する。データ送信部１１６は、販売サーバ１１０から出力されるデータを送信し、データ受信部１１７は、販売サーバ１１０に送られたデータを受信する。
【００２２】
チケットデータベース１１２は、チケットに関するチケットデータを蓄積する。チケットデータとして、チケットの識別情報、チケット対象の興行についての情報、チケットの購入者情報、チケットステータス等が挙げられる。チケットの識別情報は、たとえばID番号、IDコード等が例示できる。チケット対象の興行についての情報は、たとえばコンサート等興行の名称、出演者、会場、開催日、座席番号等が例示できる。チケットステータスは、販売済み、出品仮登録、出品登録、購入登録、二次（再）販売済み等が例示できる。
【００２３】
図３は、ユーザ端末１３０の概要を示すブロック図である。ユーザ端末１３０は、制御部１３１、入力部１３２、表示部１３３、データ送信部１３６、データ受信部１３７を有する。制御部１３１は、後に説明するユーザ端末１３０の機能を実現するよう、ユーザ端末１３０を制御する。入力部１３２は、ユーザ端末１３０にデータを入力し、表示部１３３は、ユーザ端末１３０のデータを表示する。データ送信部１３６は、ユーザ端末１３０から出力されるデータを送信し、データ受信部１３７は、ユーザ端末１３０に送られたデータを受信する。
【００２４】
ユーザ端末１３０として、一般的なパーソナルコンピュータ、スマートフォン、携帯電話等を例示することができる。入力部１３２は、キーボード、タッチ画面、音声入力装置等であってもよい。表示部１３３は、モニタ画面、タッチ画面、プリンタ等であってもよい。
【００２５】
図４は、店舗端末１７０の概要を示すブロック図である。店舗端末１７０は、制御部１７１、入力部１７２、表示部１７３、スキャナ１７４、プリンタ１７５、データ送信部１７６、データ受信部１７７を有する。制御部１７１は、後に説明する店舗端末１７０の機能を実現するよう、店舗端末１７０を制御する。入力部１７２は、店舗端末１７０にデータを入力し、表示部１７３は、店舗端末１７０のデータを表示する。スキャナ１７４は、一次元または二次元のバーコードをスキャンする入力装置である、プリンタ１７５は、チケットを発券する際の印刷に用いる。データ送信部１７６は、店舗端末１７０から出力されるデータを送信し、データ受信部１７７は、店舗端末１７０に送られたデータを受信する。
【００２６】
ユーザ端末１３０が出品側のユーザ端末として用いられる場合、ユーザ端末１３０は、出品者の操作に応答して、チケットの出品を要求する出品要求を販売サーバ１１０に送信する。ユーザ端末１３０が購入側のユーザ端末として用いられる場合、ユーザ端末１３０は、購入者の操作に応答して、チケットの購入を要求する購入要求を販売サーバ１１０に送信する。
【００２７】
ユーザ端末１３０は、店舗内ユーザ端末１８０として機能してもよい。この場合、店舗内ユーザ端末１８０は、購入者の操作に応答して、チケットの購入を要求する購入要求を販売サーバ１１０に送信する購入要求送信部と、購入要求に応答して販売サーバ１１０から送信された取引識別情報を受信する取引識別情報受信部と、受信した取引識別情報を出力する取引識別情報出力部と、を有する。取引識別情報出力部がプリンタであってもよく、取引識別情報が、当該プリンタで印刷された一次元または二次元のバーコードであってもよい。
【００２８】
店舗端末１７０が出品側の店舗端末として用いられる場合、店舗端末１７０は、出品要求に係るチケットの識別情報を読み取り、読み取った識別情報を販売サーバ１１０に送信する。この場合、スキャナ１７４は、ユーザ端末１３０から販売サーバ１１０に送信されたチケットの出品を要求する出品要求に係るチケットの識別情報を読み取る識別情報読み取り部の一例である。データ送信部１７６は、識別情報読み取り部で読み取った識別情報を販売サーバ１１０に送信する識別情報送信部の一例である。
【００２９】
店舗端末１７０が購入側の店舗端末として用いられる場合、店舗端末１７０は、購入要求に係るチケットの情報送信要求を販売サーバ１１０に送信し、情報送信要求に応答して販売サーバ１１０が送信したチケット情報を受信し、受信したチケット情報に基づいてチケットを発券する。この場合、データ送信部１７６は、ユーザ端末１３０から販売サーバ１１０に送信されたチケットの購入を要求する購入要求に係るチケットの情報送信要求を販売サーバ１１０に送信する情報送信要求送信部の一例である。データ受信部１７７は、情報送信要求に応答して販売サーバ１１０が送信したチケット情報を受信するチケット情報受信部の一例である。プリンタ１７５は、受信したチケット情報に基づいてチケットを発券するチケット発券部の一例である。店舗端末１７０は、購入要求に応答して販売サーバ１１０からユーザ端末１３０に送信された取引識別情報を入力する取引識別情報入力部をさらに有してもよく、この場合、情報送信要求送信部が、取引識別情報を含めて情報送信要求を送信する。取引識別情報として、印刷された一次元または二次元のバーコード情報が例示できる。
【００３０】
販売サーバ１１０は、出品要求の受信を契機として、チケットの出品を仮登録し、識別情報の受信を契機として、識別情報に対応する仮登録を本登録に変更し、購入要求の受信を契機として、取引に係るチケットの購入を登録し、情報送信要求の受信を契機として、取引に係るチケットのチケット情報を送信する。
【００３１】
図５は、二次販売システム１００の動作を示すフロー図である。出品者は、出品側のユーザ端末１３０を用いて、販売サーバ１１０にログインする。その後、出品側のユーザ端末１３０は販売サーバ１１０に購入履歴データ要求を発し、販売サーバ１１０は購入履歴データを返送する。出品側のユーザ端末１３０は、受信した購入履歴データを表示する（Ｓ０１）。
【００３２】
出品者は、出品側のユーザ端末１３０を操作して、出品するチケットを特定し、出品要求を販売サーバ１１０に送信する（Ｓ０２）。販売サーバ１１０は、出品要求の受信を契機として、チケットの出品を仮登録する（Ｓ０３）。
【００３３】
出品者は、出品したチケット２０２を店舗に持ち込み、出品側の店舗端末１７０は、出品要求に係るチケットの識別情報を読み取り、読み取った識別情報を販売サーバ１１０に送信する（Ｓ０４）。持ち込まれたチケットには、たとえば「ＶＯＩＤ」印２０４を押印し、無効であることを表示する。
【００３４】
販売サーバ１１０は、識別情報の受信を契機として、チケットの識別情報を照合し（Ｓ０５）、照合が適正である場合には、識別情報に対応する仮登録を本登録に変更する（Ｓ０６）。なお、チケットの出品が本登録された場合には、チケットのステータスを出品中である旨に変更する。その後、チケットの出品登録を公開する（Ｓ０７）。
【００３５】
購入者は、購入側のユーザ端末１３０を用いて販売サーバ１１０にログインし、出品リストのデータを販売サーバ１１０に要求する。販売サーバ１１０は、これを受けて出品リストデータを返送し、購入側のユーザ端末１３０は出品リストを表示する（Ｓ０８）。購入者は、購入側のユーザ端末１３０を操作して、購入するチケットを選択し、購入要求を販売サーバ１１０に送信する（Ｓ０９）。なお、購入要求を送信する前に決済処理を行い、適正に決済できた場合にのみ購入要求を発しても良い。
【００３６】
販売サーバ１１０は、購入要求の受信を契機として、取引に係るチケットの購入を登録（購入予約）し（Ｓ１０）、取引識別情報を購入側のユーザ端末１３０に発行する（Ｓ１１）。購入側のユーザ端末１３０は、受信した取引識別情報を表示し、またはプリントする（Ｓ１２）。
【００３７】
購入者は、店舗に赴き、取引識別情報を提示し、購入側の店舗端末１７０から、購入要求に係るチケットの情報送信要求を販売サーバ１１０に送信する（Ｓ１３）。なお、情報送信要求を送信する前に決済処理を行い、適正に決済できた場合にのみ情報送信要求を発しても良い。また、購入者は、店舗内に設置された店舗内ユーザ端末１８０を用いてＳ０８、Ｓ０９およびＳ１２のユーザ端末操作を行っても良い。この場合、店舗内ユーザ端末１８０において決済処理を行い、適正に決済処理できた場合には、取引識別情報を含むジャーナルを発行し、当該ジャーナルを参照して店舗端末１７０から情報送信要求を発するようにしても良い。
【００３８】
販売サーバ１１０は、情報送信要求の受信を契機として、取引に係るチケットのチケット情報を送信し、購入側の店舗端末１７０は、販売サーバ１１０から受信したチケット情報に基づいてチケット２０６を発券する（Ｓ１４）。
【００３９】
チケットの発券が適正に完了した場合、購入側の店舗端末１７０は完了通知を販売サーバ１１０に送信し（Ｓ１５）、販売サーバ１１０は、出品登録および購入登録を削除する（Ｓ１６）。また、販売サーバ１１０は、当該チケットのステータスを二次販売が完了している旨のステータスに変更する。
【００４０】
以上説明したチケットの二次販売システムおよび方法によれば、出品者（売主）および購入者（買主）は、近くのコンビニエンスストア等の店舗に赴けばよく、出品者（売主）はチケットを送付する手間が省け、購入者（買主）はチケットの到着を待つ必要が無い。また、興行期日までの期間が短期間であっても、安心して取引することができる。これにより、取引期間を最大限確保でき、取引を安心してスムーズに進めることができる。
【００４１】
なお、チケットの識別情報に、ステータス照会のための機能を付すことができる。すなわち、販売サーバ１１０に、出品要求の受信を契機としてチケットの出品を仮登録し、識別情報の受信を契機として識別情報に対応する仮登録を本登録に変更し、購入要求の受信を契機として取引に係るチケットの購入を登録し、完了要求の受信を契機として出品の仮登録、仮登録の本登録への変更または購入の登録を削除し、登録、変更または削除の何れかのイベントが発生した場合に、チケットのステータスを各イベントの内容に応じたステータスに変更する機能を持たせ、ユーザ端末１３０に、識別情報を販売サーバ１１０に送信してチケットのステータスを照会するステータス照会部を備えることができる。
【００４２】
これによりユーザは、当該チケットのステータスを任意にチェックすることができ、ユーザのチェック機能により、不正を防止することができる。また、興行会場での入場時にチケットのステータスをチェックし、不正チケットの使用を未然に防止することができる。
【００４３】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【符号の説明】
【００４４】
１００…二次販売システム、１１０…販売サーバ、１１１…制御部、１１２…チケットデータベース、１１３…出品・購入登録部、１１４…ステータス変更制御部、１１６…データ送信部、１１７…データ受信部、１３０…ユーザ端末、１３１…制御部、１３２…入力部、１３３…表示部、１３６…データ送信部、１３７…データ受信部、１４０…ゲートサーバ、１５０…インターネット、１６０…店舗サーバ、１７０…店舗端末、１７１…制御部、１７２…入力部、１７３…表示部、１７４…スキャナ、１７５…プリンタ、１７６…データ送信部、１７７…データ受信部、１８０…店舗内ユーザ端末、１９０…店舗ネットワーク、２０２…チケット、２０４…ＶＯＩＤ印付チケット、２０６…二次販売チケット。
【要約】      （修正有）【課題】売主がチケットを送付する手間を省き、買主が売主からのチケットの送付を待つ必要がなく、興行期日までの期間が短いチケットであっても安心して取引できるチケットの二次販売システムを提供する。【解決手段】出品側のユーザ端末１３０が出品要求を販売サーバ１１０に送信し、購入側のユーザ端末１３０が購入要求を販売サーバ１１０に送信し、出品側の店舗端末１７０がチケットの識別情報を販売サーバ１１０に送信し、購入側の店舗端末１７０がチケットの情報送信要求を販売サーバ１１０に送信し、販売サーバ１１０から受信したチケット情報に基づいてチケットを発券する。販売サーバ１１０は、出品要求に応答して出品を仮登録しＳ０３、識別情報に応答して仮登録を本登録に変更しＳ０６、購入要求に応答して購入を登録しＳ１０、情報送信要求に応答してチケット情報を送信する。【選択図】図５【図１】
0005916907.tif 000002
【図２】
0005916907.tif 000003
【図３】
0005916907.tif 000004
【図４】
0005916907.tif 000005
【図５】
0005916907.tif 000006